(57)【要約】      （修正有）【課題】ケースの剛性を確保しながら美観の低下を防止し得る縦型ブラインドのバランスウェイトを提供する。【解決手段】合成樹脂で形成したケース９にウェイト板１４を収容したバランスウェイト７に枠状部２３を備え、枠状部２３に挿通したスラット３でケース９を被覆してスラット３の下端部にバランスウェイト７を吊下支持する。枠状部２３の少なくとも一部を金属板１４で形成する。【選択図】図４
0003169786.tif 000002
【実用新案登録請求の範囲】
【請求項１】
合成樹脂で形成したケースにウェイト板を収容したバランスウェイトに枠状部を備え、前記枠状部に挿通したスラットで前記ケースを被覆して前記スラットの下端部にバランスウェイトを吊下支持した縦型ブラインドにおいて、
前記枠状部の少なくとも一部を金属板で形成したことを特徴とする縦型ブラインドのバランスウェイト。
【請求項２】
前記ケースに収容する金属のウェイト板に前記枠状部を備えたことを特徴とする請求孔１記載の縦型ブラインドのバランスウェイト。
【請求項３】
前記ケースに設けた枠状部に、前記ウェイト板の枠状部を重ねて補強したことを特徴とする請求孔２記載の縦型ブラインドのバランスウェイト。
【請求項４】
前記ケースの枠状部の両端部を前記ウェイト板で補強したことを特徴とする請求孔３記載の縦型ブラインドのバランスウェイト。
【請求項５】
前記枠状部を前記ウェイト板のみに備えたことを特徴とする請求孔２記載の縦型ブラインドのバランスウェイト。
【請求項６】
前記ケースの両側部にボトムコードを支持するフックを設け、前記ケースの幅方向において、前記フックを前記枠状部に設けたスラット挿通孔の全長の範囲内に位置させたことを特徴とする請求孔１乃至５いずれか１項に記載の縦型ブラインドのバランスウェイト。
【考案の詳細な説明】
【技術分野】
【０００１】
この考案は、縦型ブラインドのスラットの下端部に取着されるバランスウェイトに関するものである。
【背景技術】
【０００２】
縦型ブラインドは、ハンガーレール内に多数のランナーが移動可能に支持され、各ランナーにはそれぞれスラットハンガーを介してスラットが吊下支持される。各スラットの下端部にはバランスウェイトが取着されるとともに、隣り合うスラットのバランスウェイトがボトムコードで連結されて、スラット下端部の風等による無用なバタつきを防止するようになっている。
【０００３】
バランスウェイトの一種類として、合成樹脂で二つ折り可能に形成したケース内に金属板で形成したウェイト板を挟み込んだものがある。また、バランスウェイトのケースをスラットで覆って、美観の向上を図るようにしたものがある。
【０００４】
特許文献１には、スラットの下端部に、二つ折りにしたケースを吊下支持したバランスウェイトが開示されている。この縦型ブラインドでは、二つ折りしたケースの上縁部にスラットを挿通するための挿通孔が形成され、その挿通孔に挿通したスラットの下端部でケースを覆うことにより、スラットの下端部にバランスウェイトを吊下支持するようになっている。
【先行技術文献】
【特許文献】
【０００５】
【特許文献１】特開平１０‐１８４２４２号公報
【考案の概要】
【考案が解決しようとする課題】
【０００６】
特許文献１に開示された縦型ブラインドのバランスウェイトでは、ケースの挿通孔が形成される枠状部にバランスウェイトの荷重が作用するため、この枠状部に撓みが生じてケースの厚さが増大して美観を損ねる。
【０００７】
枠状部の撓みを防止するために、枠状部の幅を増大させて剛性を確保しようとすると、スラットに覆われない枠状部が大型化して美観を損ねるという問題点がある。
この考案の目的は、ケースの剛性を確保しながら美観の低下を防止し得る縦型ブラインドのバランスウェイトを提供することにある。
【課題を解決するための手段】
【０００８】
請求項１では、合成樹脂で形成したバランスウェイトのケースに枠状部を備え、前記枠状部に挿通したスラットで前記ケースを被覆して前記スラットの下端部にバランスウェイトを吊下支持した縦型ブラインドにおいて、前記枠状部の少なくとも一部を金属板で形成した。
【０００９】
請求項２では、前記ケースに収容する金属のウェイト板に前記枠状部を備えた。
請求項３では、前記ケースに設けた枠状部に、前記ウェイト板の枠状部を重ねて補強した。
【００１０】
請求項４では、前記ケースの枠状部の両端部を前記ウェイト板で補強した。
請求項５では、前記枠状部を前記ウェイト板のみに備えた。
請求項６では、前記ケースの両側部にボトムコードを支持するフックを設け、前記ケースの幅方向において、前記フックを前記枠状部に設けたスラット挿通孔の全長の範囲内に位置させたことを特徴とする請求孔１乃至５いずれか１項に記載の縦型ブラインドのバランスウェイト。
【考案の効果】
【００１１】
本考案によれば、ケースの剛性を確保しながら美観の低下を防止し得る縦型ブラインドのバランスウェイトを提供することができる。
【図面の簡単な説明】
【００１２】
【図１】縦型ブラインドを示す正面図である。
【図２】バランスウェイトを示す分解斜視図である。
【図３】バランスウェイトを示す斜視図である。
【図４】バランスウェイト示す断面図である。
【考案を実施するための形態】
【００１３】
以下、この考案を具体化した一実施形態を図面に従って説明する。図１に示す縦型ブラインドは、ハンガーレール１内に多数のランナー２が移動可能に支持され、各ランナー２からそれぞれスラット３が吊下支持されている。
【００１４】
前記ハンガーレール１の両端部には操作棒４ａ，４ｂがそれぞれ垂下され、その操作棒４ａ，４ｂのいずれを回動操作しても、ハンガーレール１内に回転可能に支持される角度調節軸が回転され、その角度調節軸の回転にともなって各スラット３が同位相で回動されるにようになっている。
【００１５】
前記ハンガーレール１の左端には無端状の操作コード５が垂下され、その操作コード５の無端縁には錘６が吊下支持されている。また、操作コード５は前記ハンガーレール１内で周回可能に引き回されている。
【００１６】
そして、ハンガーレール１から垂下されている操作コード５の操作に基づいて先頭ランナー２ａがハンガーレール１に沿って移送され、先頭ランナー２ａがハンガーレール１の左端側に移送されると、後続のランナー２が等間隔を隔てて同方向に順次移送される。この結果、スラット３が等間隔を隔てて順次引き出される。また、先頭ランナー２ａがハンガーレール１の右端側に移送されると、後続のランナー２が順次押し戻され、スラット３がハンガーレール１の右端側に畳み込まれる。
【００１７】
前記各スラット３の下端部にはバランスウェイト７が吊下支持され、各バランスウェイト７はボトムコード８で連結されて、風等によりスラット３のバタつきを防止するようになっている。
【００１８】
次に、前記バランスウェイト７の具体的構成を説明する。図２に示すように、バランスウェイト７のケース９は、合成樹脂で板状に形成されるとともに、上下方向中央部に形成された肉薄部で連結された第一のケース片１１ａと第二のケース片１１ｂが形成されている。そして、図３及び図４に示すように、第一及び第二のケース片１１ａ，１１ｂを上下方向に二つ折り可能となっている。
【００１９】
前記第一のケース片１１ａの端縁部、すなわち前記肉薄部１０を下端として第一及び第二のケース片１１ａ，１１ｂを二つ折りした状態での第一のケース片１１ａの上端部には、前記スラット３を挿通可能とした挿通孔１２が形成されている。
【００２０】
前記第一のケース片１１ａの一方の側面、すなわち二つ折りした場合の内側面には、ウェイト板１４を保持するための係止突部１３が４箇所形成されている。
前記第二のケース片１１ｂの内側面には、左右に一対ずつの係止爪１５が上下方向に３段等間隔に設けられて、第一及び第二のケース片１１ａ，１１ｂの間に挟まれるスラット３を係止可能となっている。
【００２１】
また、第二のケース片１１ｂの内側面には、左右方向に延びる目盛１６が上下方向に５本形成されている。この目盛１６は、第一及び第二のケース片１１ａ，１１ｂの間に挟み込むスラット３の長さを確認して、各スラット３の長さを容易に一致させるようにするものである。
【００２２】
図２における第二のケース片１１ｂの両側縁の下端部、すなわち前記肉薄部１０を下端として第一及び第二のケース片１１ａ，１１ｂを二つ折りした状態での第二のケース片１１ｂの両側縁上部には、前記ボトムコード８を取着するためのフック１７が形成されている。前記一対のフック１７の外側縁の間隔は、前記スラット３の幅とほぼ同一となっている。
【００２３】
前記第一及び第二のケース片１１ａ，１１ｂ間に挟んで使用するウェイト板１４は、金属板で形成され、その上端部には前記第一のケース片１１ａに形成された挿通孔１２とほぼ同一寸法の挿通孔１８が形成されている。
【００２４】
前記ウェイト板１４には、前記第一のケース片１１ａの係止突部１３に嵌合可能とした４つの係止孔１９が形成されている。そして、ウェイト板１４を第一のケース片１１ａの内側面に取着すると、第一のケース片１１ａの挿通孔１２とウェイト板１４の挿通孔１８とが連通するようになっている。
【００２５】
この状態では、第一のケース片１１ａの挿通孔１２の上方に位置する枠状部２３の内側面側には、ウェイト板１４の挿通孔１８の上方に位置する枠状部２４が当接している状態となる。
【００２６】
また、第一の係止片１１ａの挿通孔１２の上下の開口縁には、前記ウェイト板１４の挿通孔１８の上下の開口縁に嵌合するリブ２５が形成されている。
前記ウェイト板１４には、ウェイト板１４の係止孔１９を第一のケース片１１ａの係止突部１３に嵌合して第一及び第二のケース片１１ａ，１１ｂを二つ折りにしたとき、３段の係止爪１５のうちの２段の係止爪１５を貫通させる貫通孔２０が形成されている。
【００２７】
図２における第一のケース片１１ａの両側縁の上端部と、第二のケース片１１ｂの両側縁の下端部、すなわち前記肉薄部１０を下端として第一及び第二のケース片１１ａ，１１ｂを二つ折りした状態での第一及び第二のケース片１１ａ，１１ｂの両側縁上部には、係合突起２１と係合孔２２が形成されている。そして、第一及び第二のケース片１１ａ，１１ｂを二つ折にしたとき、係合突起２１と係合孔２２が互いに係合して、第一及び第二のケース片１１ａ，１１ｂを二つ折にした状態に保持するようになっている。
【００２８】
次に上記のように構成されたバランスウェイト７の作用を説明する。
バランスウェイト７をスラット３の下端に取着するは、まずウェイト板１４を第一のケース板１１ａの内側面に取着する。この状態では、第一のケース片１１ａの挿通孔１２と、ウェイト板１４の挿通孔１８とが連通している。また、挿通孔１２のリブ２５がウェイト板１４の挿通孔１８に嵌合するので、挿通孔１８の上下方向の開口縁はリブ２５で覆われている。
【００２９】
次いで、スラットの下端部をウェイト板１４側から挿通孔１８，１２に挿通し、第一のケース片１１ａの外側面から第二のケース片１１ｂの外側面を経て、図２に示す第二のケース片１１ｂの下縁から第二のケース片１１ｂの内側面に巻回する。このとき、スラット３の下端縁を目盛１６のいずれかに一致させる。
【００３０】
次いで、第一及び第二のケース片１１ａ，１１ｂを二つ折りにして、係合突起２１と係合孔２２を係合させると、第一及び第二のケース片１１ａ，１１ｂとの間でスラット３に係止爪１５が食い込んで、スラット３の下端縁が第一及び第二のケース片１１ａ，１１ｂ間に保持される。
【００３１】
すると、図３及び図４に示すように、スラット３の下端部にバランスウェイト７が吊下支持される。
この状態では、バランスウェイト７はほぼ枠状部２３のみが露出される。そして、枠状部２３にバランスウェイト７の荷重が作用するが、枠状部２３はウェイト板１４の枠状部２４に補強されているので、ケース９の厚さが増大する方向の撓みが防止される。
【００３２】
また、図１に示すように、フック１７はスラット３に覆われて、スラット３の正面及び背面方向に露出されることはない。
上記のように構成された縦型ブラインドのバランスウェイトでは、次に示す効果を得ることができる。
（１）バランスウェイト７は、枠状部２３を除いてスラット３に覆われるので、スラット３下端部の美観を向上させることができる。
（２）バランスウェイト７の荷重が作用するケース９の枠状部２３に、ウェイト板１４の枠状部２４が重ねられて保持されるので、枠状部２３を補強して、ケース９の厚さが増大する方向の撓みを防止することができる。従って、枠状部２３の撓みによる美観の低下を防止することができる。
（３）ケース９の枠状部２３をウェイト板１４の枠状部２４で補強するので、ケースの枠状部２３を細くし、ひいてはケース９全体の厚さを縮小して、美観の向上を図ることができる。
（４）ケース９の両側部のフック１７をスラット３で覆うことができるので、スラット下端部の美観を向上させることができる。
【００３３】
上記実施形態は、以下の態様で実施してもよい。
・ケース９の枠状部２３の両端部のみを金属のウェイト板で補強してもよい。
・ケースの上端部でスラットを挿通する枠状部を金属板のみで形成してもよい。
【符号の説明】
【００３４】
３…スラット、７…バランスウェイト、９…ケース、１１ａ…第一のケース片、１１ｂ…第二のケース片、１４…金属板（ウェイト板）、２３…枠状部、２４…枠状部。
【図１】
0003169786.tif 000003
【図２】
0003169786.tif 000004
【図３】
0003169786.tif 000005
【図４】
0003169786.tif 000006
【手続補正書】
【提出日】平成23年6月22日(2011.6.22)
【手続補正１】
【補正対象書類名】実用新案登録請求の範囲
【補正対象項目名】全文
【補正方法】変更
【補正の内容】
【実用新案登録請求の範囲】
【請求項１】
合成樹脂で形成したケースにウェイト板を収容したバランスウェイトに枠状部を備え、前記枠状部に挿通したスラットで前記ケースを被覆して前記スラットの下端部にバランスウェイトを吊下支持した縦型ブラインドのバランスウェイトにおいて、
前記枠状部の少なくとも一部を金属板で形成したことを特徴とする縦型ブラインドのバランスウェイト。
【請求項２】
前記ケースに収容する金属のウェイト板に前記枠状部を備えたことを特徴とする請求項１記載の縦型ブラインドのバランスウェイト。
【請求項３】
前記ケースに設けた枠状部に、前記ウェイト板の枠状部を重ねて補強したことを特徴とする請求項２記載の縦型ブラインドのバランスウェイト。
【請求項４】
前記ケースの枠状部の両端部を前記ウェイト板で補強したことを特徴とする請求項３記載の縦型ブラインドのバランスウェイト。
【請求項５】
前記枠状部を前記ウェイト板のみに備えたことを特徴とする請求項２記載の縦型ブラインドのバランスウェイト。
【請求項６】
前記ケースの両側部にボトムコードを支持するフックを設け、前記ケースの幅方向において、前記フックを前記枠状部に設けたスラット挿通孔の全長の範囲内に位置させたことを特徴とする請求項１乃至５のいずれか１項に記載の縦型ブラインドのバランスウェイト。